(57)【要約】【課題】パッシブマトリクス型有機ＥＬ表示装置において、低消費電力化、低コスト化を図るとともに、高画質の画像表示を達成する。【解決手段】パッシブマトリクス型有機ＥＬ表示装置の駆動方法であって、表示データに対応する階調データの上位ビットを電流振幅変調による階調方式で表現するとともに、前記表示データに対応する階調データの下位ビットをフレームレートコントロール階調方式で表現し、前記フレームレートコントロール階調方式を前記電流振幅変調による階調方式に付け加えたことを特徴とするパッシブマトリクス型有機ＥＬ表示装置の駆動方法を提供することにより前記課題を解決する。【選択図】図１
2004184900.tif 000002
【特許請求の範囲】
【請求項１】
パッシブマトリクス型有機ＥＬ表示装置の駆動方法であって、
表示データに対応する階調データの上位ビットを電流振幅変調による階調方式で表現するとともに、
前記表示データに対応する階調データの下位ビットをフレームレートコントロール階調方式で表現し、
前記フレームレートコントロール階調方式を前記電流振幅変調による階調方式に付け加えたことを特徴とするパッシブマトリクス型有機ＥＬ表示装置の駆動方法。
【請求項２】
前記階調データの上位ビットを電流振幅変調による階調方式で電流を制御し、前記階調データの下位ビットをフレームレートコントロール階調方式で電流を制御して、それぞれの電流を合成し、前記有機ＥＬ表示装置の陽極に供給して瞬時輝度を制御する請求項１に記載のパッシブマトリクス型有機ＥＬ表示装置の駆動方法。
【請求項３】
請求項１に記載のパッシブマトリクス型有機ＥＬ表示装置の駆動方法であって、さらに、基準電流値Ｉ０  を発生する基準電流源と、前記階調データによりオンないしオフされる１個のフレームレートコントロール用電流源と、前記階調データの上位ビット数分の電流振幅変調用電流源とを持ち、
前記有機ＥＬ表示装置の陽極を駆動し、有機ＥＬ素子の発光輝度を制御するパッシブマトリクス型有機ＥＬ表示装置の駆動方法。
【請求項４】
前記階調データの上位ビット数分の電流振幅変調用電流源の強さを、ｋ＝０、１、２、・・・、ｍとして、それぞれ前記基準電流値Ｉ０  の、２ｋ  倍とした請求項３に記載のパッシブマトリクス型有機ＥＬ表示装置の駆動方法。
【請求項５】
前記有機ＥＬ表示装置のすべての陽極において、前記有機ＥＬ素子の発光輝度の制御を同時に実行し、１フレームで階調制御を行う請求項３に記載のパッシブマトリクス型有機ＥＬ表示装置の駆動方法。
【請求項６】
前記フレームレートコントロールを行う部分において、１フレームの表示階調数をＦＣフィールドとして制御し、１フレームで階調表示が完了する請求項３に記載のパッシブマトリクス型有機ＥＬ表示装置の駆動方法。
【請求項７】
前記フレームレートコントロールを行う部分において、自由に設定可能な表示階調数分のフレームレートコントロール階調テーブルを備え、１フレームを構成する各フィールドにおいて、前記フレームレートコントロール階調テーブルに基づいて、前記フレームレートコントロール用電流源をオンないしオフさせる請求項３に記載のパッシブマトリクス型有機ＥＬ表示装置の駆動方法。
【請求項８】
請求項１〜７のいずれかに記載のパッシブマトリクス型有機ＥＬ表示装置の駆動方法により、前記フレームレートコントロール階調方式を前記電流振幅変調による階調方式に付け加えて、前記有機ＥＬ素子に流れる電流値を制御し、ＦＣ個のフィールドを用いて１  フレームを構成し、電流振幅変調による階調数ＣＨＭ  と、フレームレートコントロールによる階調数であるフィールド数ＦＣの積、ＣＨＭ  ×ＦＣで表される階調数分の階調表示を行うことを特徴とするパッシブマトリクス型有機ＥＬ表示装置。
【発明の詳細な説明】
【０００１】
【発明の属する技術分野】
本発明は、有機ＥＬ表示装置及びその駆動方法に係り、特にパッシブマトリクス型有機ＥＬ表示装置における多階調表示を可能とする階調制御技術に関する。
【０００２】
【従来の技術】
近年、発光性有機材料を利用した自発光型の有機ＥＬ表示装置が開発されている。有機ＥＬ表示装置には、パッシブ型（単純マトリクス型）と、アクティブ型（アクティブマトリクス型）の二種類がある。
パッシブマトリクス型の有機ＥＬ駆動方式では、階調制御のためにパルス振幅変調（ＰＨＭ）方式やフレーム変調（ＦＲＣ）方式あるいはパルス幅変調（ＰＷＭ）方式がよく用いられている。
【０００３】
一般的に、ＰＨＭ方式では、電流値（または電圧値）によって、瞬時的な輝度を制御できるので、高速の階調制御が可能である。
有機ＥＬ素子は、電流制御型の素子であるため、定電流で駆動するのが一般的であるが、従来は定電流値制御により多階調表示をするのは困難であった。従来の方法では、多レベル出力の多数の高精度電流源が必要となり、高コストになってしまう。
【０００４】
また、ＦＲＣ方式では、複数の表示フレームを用いて階調表現をするため、表示が完結するまでに時間が掛かり、フリッカが発生するという問題がある。さらに、階調数の増加にともないフレーム制御を高速で行う必要があるが、有機ＥＬパネルの応答には限界があり、消費電力も増大する。これを解決するために、従来ＰＷＭ方式がよく用いられている。
【０００５】
このＰＷＭ方式は、１ロウ（行）選択期間を数シーケンスに分割し、オンシーケンスとオフシーケンスを振り分ける方式である。表示は、１表示フレームで完結する。この方式では、多階調表現を可能とするために、シーケンス分割数を細かく設定するが、駆動周波数が高くなるためにクロストークといった表示画像の画質劣化が生じる等の欠点もある。また、高周波化することにより、当然消費電力も大きくなる。
また、この他特殊なものとしてＰＷＭ方式とＰＨＭ方式を組み合わせた階調方式なども考案されている（例えば、特許文献１参照）。
【０００６】
【特許文献１】
特開平１１−３２９７２１号公報
【０００７】
【発明が解決しようとする課題】
しかしながら、ＰＨＭ方式では、前述したように、多階調になるに従い、それを制御するために多レベルの定電流源が必要となり、例えば２ｎ  階調を表示するためには２ｎ−１  種類の電流値が必要となる。従って、それを生成する多レベルの定電流源が多数必要となり、定電流源が増えれば増えるほど制御が複雑になるという問題がある。
また、高精度の多レベルの定電流源を安定的に製造するのは難しく、チップサイズが大きくなるので、高コストになるという問題もある。
【０００８】
また、ＰＷＭ方式では、表示データの階調によって、１ロウ選択期間でのシーケンス分割数を２ｎ  としており、階調数が増加すると当然シーケンス分割数が細かくなる。その結果として、ある階調レベルでは高周波の駆動パルスが生じ、そのため有機ＥＬパネルの応答が追随できず、画質劣化を招く等の問題がある。
【０００９】
また、ＦＲＣ方式でも同様で、Ｎ階調を表現するためには、Ｎ−１個のフィールド（サブフレーム）の制御が必要となる。フリッカ等を防ぐため、フレーム周波数をＦ［Ｈｚ］とすると、１フィールドをＦ×（Ｎ−１）［Ｈｚ］程度のスピードで処理する必要があるため、その結果やはり、動作周波数が高周波化し、消費電力が増大する。
【００１０】
また、多階調表示を行う場合、有機ＥＬ素子に流す電流値と発光強度の関係がリニアでないという問題がある。すなわち、実現したい階調（表示データ）より細かい設定（階調データ）が必要であり、これをガンマ補正と言うが、通常、表示データのビット数に１ビット以上を追加した階調データを設け、表示データと階調データを対応させるか、計算処理を行っている。そして、この処理がさらに消費電力を増加させるという問題がある。
【００１１】
本発明は、前記従来の問題に鑑みてなされたものであり、低消費電力化、低コスト化を図るとともに、高画質の画像表示を行うことのできるパッシブマトリクス型有機ＥＬ表示装置及びその駆動方法を提供することを課題とする。
【００１２】
【課題を解決するための手段】
前記課題を解決するために、本発明の第１の態様は、パッシブマトリクス型有機ＥＬ表示装置の駆動方法であって、表示データに対応する階調データの上位ビットを電流振幅変調による階調方式で表現するとともに、前記表示データに対応する階調データの下位ビットをフレームレートコントロール階調方式で表現し、前記フレームレートコントロール階調方式を前記電流振幅変調による階調方式に付け加えたことを特徴とするパッシブマトリクス型有機ＥＬ表示装置の駆動方法を提供する。
【００１３】
また、前記階調データの上位ビットを電流振幅変調による階調方式で電流を制御し、前記階調データの下位ビットをフレームレートコントロール階調方式で電流を制御して、それぞれの電流を合成し、前記有機ＥＬ表示装置の陽極に供給して瞬時輝度を制御することが好ましい。
【００１４】
また、前記パッシブマトリクス型有機ＥＬ表示装置の駆動方法において、さらに、基準電流値Ｉ０  を発生する基準電流源と、前記階調データによりオンないしオフされる１個のフレームレートコントロール用電流源と、前記階調データの上位ビット数分の電流振幅変調用電流源とを持ち、前記有機ＥＬ表示装置の陽極を駆動し、有機ＥＬ素子の発光輝度を制御することが好ましい。
【００１５】
また、前記階調データの上位ビット数分の電流振幅変調用電流源の強さを、ｋ＝０、１、２、・・・、ｍとして、それぞれ前記基準電流値Ｉ０  の、２ｋ  倍としたことが好ましい。
【００１６】
また、前記有機ＥＬ表示装置のすべての陽極において、前記有機ＥＬ素子の発光輝度の制御を同時に実行し、１フレームで階調制御を行うことが好ましい。
【００１７】
また、前記フレームレートコントロールを行う部分において、１フレームの表示階調数をＦＣフィールドとして制御し、１フレームで階調表示が完了することが好ましい。
【００１８】
また、前記フレームレートコントロールを行う部分において、自由に設定可能な表示階調数分のフレームレートコントロール階調テーブルを備え、１フレームを構成する各フィールドにおいて、前記フレームレートコントロール階調テーブルに基づいて、前記フレームレートコントロール用電流源をオンないしオフさせることが好ましい。
【００１９】
また同様に、前記課題を解決するために、本発明の第２の態様は、前記パッシブマトリクス型有機ＥＬ表示装置の駆動方法により、前記フレームレートコントロール階調方式を前記電流振幅変調による階調方式に付け加えて、前記有機ＥＬ素子に流れる電流値を制御し、ＦＣ個のフィールドを用いて１  フレームを構成し、電流振幅変調による階調数ＣＨＭ  と、フレームレートコントロールによる階調数であるフィールド数ＦＣの積、ＣＨＭ  ×ＦＣで表される階調数分の階調表示を行うことを特徴とするパッシブマトリクス型有機ＥＬ表示装置を提供する。
【００２０】
【発明の実施の形態】
以下、本発明のパッシブマトリクス型有機ＥＬ表示装置及びその駆動方法について、添付の図面に示される好適実施形態を基に詳細に説明する。
【００２１】
本発明に係る有機ＥＬ表示装置の駆動方法は、パッシブマトリクスのデューティ駆動方式において、表示データに対応する任意の階調データから階調を選択し、多階調表示を行う際、前記階調データの上位ビットを電流振幅変調（Ｃｕｒｒｅｎｔ  Ｈｉｇｈｔ  Ｍｏｄｕｌａｔｉｏｎ、以下ＣＨＭという。）による階調方式（Ｃｕｒｒｅｎｔ  Ｈｉｇｈｔ  Ｍｏｄｕｌａｔｉｎ  階調方式、以下、ＣＨＭ階調方式という。）で表現するとともに、前記階調データの下位ビットをフレームレートコントロール階調方式（以下、ＦＲＣ階調方式という。）で表現するものである。
このように、ＣＨＭ階調方式にＦＲＣ階調方式を付け加える（プラスする）階調方式を、ここでは、ＣｐＦ（ＣＨＭ  ｐｌｕｓ  ＦＲＣ）階調方式と呼ぶ。
以下、まず本発明のＣｐＦ階調方式の概略について説明する。
【００２２】
ＣｐＦ階調方式の有機ＥＬ表示装置は、基準電流源Ｉ０  、表示データに対応する階調データにより制御されるＦＲＣ用電流源Ｉ０  、ＣＨＭ用電流源Ｉ０  、２Ｉ０  、４Ｉ０  、・・・、２ｎＩ０  を有する。有機ＥＬ表示装置の陽極（アノード）は、それらの電流源が表示階調毎にオンないしオフされることにより決定される階調毎の駆動電流値により駆動される。
ＣｐＦ階調方式は、上記のような陽極の駆動を、すべての陽極について実行し、１フレームで階調制御を行う階調方式である。従って、ＦＲＣ用電流源及びＣＨＭ用電流源が、すべての陽極について備えられている。
【００２３】
ＣｐＦ階調方式は、例えば、階調データをｎビットとするとき、これを上位ｍビットと下位ｓビットに分け、上位ｍビットをＣＨＭ部に割り当て、下位ｓビットをＦＲＣ部に割り当てて、それぞれの階調方式で表現するものである。
ＣＨＭ部では、上位ｍビットの状態によって、ｋ＝０、１、２、・・・、ｍ−１として、２ｋ  倍に重み付けされた電流源（２０  Ｉ０  ＝Ｉ０  、２１  Ｉ０  ＝２Ｉ０  、２２  Ｉ０  ＝４Ｉ０  、・・・、２ｍ−１  Ｉ０  ）を、それぞれオンないしオフする。
【００２４】
ＦＲＣ部では、表示階調数（ＦＣフィールド）を制御する。すなわち、ＦＣフィールドで階調表示が完了する。ＦＲＣ部では、自由に設定可能な階調数分のフレームレートコントロール階調テーブル（ＦＲＣ階調テーブル）を備え、各フィールドにおいて、この階調テーブルに基づいて、ＦＲＣ用電流源Ｉ０  をオンないしオフする。
【００２５】
前記階調データの上位ビットをＣＨＭによる階調方式で制御し、この上位ビット分の階調表現をするための駆動電流が決定される。同様に、前記階調データの下位ビットをＦＲＣ階調方式で制御し、駆動電流を決定する。最終的には、上記ＣＨＭ部とＦＲＣ部からのそれぞれの駆動電流を合成し、有機ＥＬパネルの陽極へ合成電流を流す。
このように、ＣｐＦ階調方式は、有機ＥＬ素子に流れる電流を制御することにより、ＦＣフィールドを使用して１  フレームを構成し、ＣＨＭ階調方式による階調数ＣＨＭ  と、ＦＲＣ階調方式の階調数であるフィールド数ＦＣとの積、ＣＨＭ  ×ＦＣ分の表示階調制御を可能とする。
【００２６】
これに対し、ｎビットの階調データをＣＨＭ階調方式だけで実現するには、陽極１本に対し、ｎ個の電流源が必要とされる。しかし、本発明によるＣｐＦ階調方式では、ｎビットの階調データ中の上位ｍビットをＣＨＭ階調方式、下位ｓビットをＦＲＣ階調方式としたため、各電流源も、上位ビット用のＣＨＭ部のｍ個の電流源と、下位ビット用のＦＲＣ部の１個の電流源を合わせたｍ＋１個（ｍ＋１＜ｎ）でよい。
【００２７】
さらに、基準電流源Ｉ０  を単位トランジスタ１個で構成したとすると、上位ｍビットを表現するために上述のように重み付けされた電流源のそれぞれは、その規定の電流値を流すために、それぞれ２ｋ−１  個（ｋ＝１、２、・・・、ｍ）の単位トランジスタ（全部で、１＋２＋４＋・・・＋２ｍ−１  個）を必要とする。
一方、ｎビットの階調データをＣＨＭ階調方式だけで実現すると、同様にして、全部で１＋２＋４＋・・・＋２ｎ−１  個の単位トランジスタが必要となる（ここで、ｍ＜ｎである）。
一般的に、有機ＥＬ表示装置の陽極の本数は、数百本であることを考慮すると、本発明は、チップサイズの大幅な縮小に効果的である。
【００２８】
また、本発明のＣｐＦ階調方式は、ＣＨＭ階調方式をＦＲＣ階調方式に付け加えるものであり、下位ｓビットについては２ｓ  個のフィールドを必要とするが、階調データの上位ｍビットは、各フィールドで完結している。従って、フリッカが少なく、表示中に表示データが変わってもスプライシングは少ないという効果もある。
【００２９】
以下、図を参照して、本発明の実施形態を詳細に説明する。
ここでは、実施形態として、１２８階調の階調データ（７ビットデータ）から任意の６４階調を選択し、７ビットデータの内上位４ビット（１６階調分）をＣＨＭ階調方式で、また下位３ビット（８階調分）をＦＲＣ階調方式で表現する場合を例にとって説明する。
【００３０】
図１は、本発明に係るパッシブマトリクス型有機ＥＬ表示装置の一実施形態の概略構成を示すブロック図である。
図１に示すように、本実施形態に係る有機ＥＬ表示装置１０は、有機ＥＬパネル１２、陰極ドライバ（カソードドライバ）１４、陽極ドライバ（アノードドライバ）１６及び表示データＲＡＭ１８を備えている。
【００３１】
また、図１は、ＲＧＢの各色を時分割で処理する例のため、それぞれ１つしか表示していないが、ＲＧＢの各色の階調データ生成、オン／オフデータをパラレルに備えてもよい。
さらに、表示データＲＡＭ１８には、ＲＡＭデコーダ３２が設けられている。また、これら各構成要素を制御するためのコントローラ３４が設置されている。
【００３２】
コントローラ３４は、表示すべき行の１６ビットの表示データ（Ｒ（５ビット）、Ｇ（６ビット）、Ｂ（５ビット））を、表示データＲＡＭ１８から読み出し、読み出した表示データをＲ、Ｇ、Ｂ毎にそれぞれ７ビットの階調データＤ０  、Ｄ１  、Ｄ２  、Ｄ３  、Ｄ４  、Ｄ５  、Ｄ６  に変換する。この変換は、例えば補間等の方法によって行えばよい。
【００３３】
この７ビットの階調データは、上位４ビットＤ６  〜Ｄ３  がＣＨＭに、下位３ビットＤ２  〜Ｄ０  がＦＲＣに、それぞれ割り当てられる。階調データの上位４ビットＤ６  、Ｄ５  、Ｄ４  、Ｄ３  から、４ビットのオン／オフデータＣＨＭ３、ＣＨＭ２、ＣＨＭ１、ＣＨＭ０が決定され、それらはそれぞれ基準電流値Ｉ０  を基にした４電流値８Ｉ０  、４Ｉ０  、２Ｉ０  、Ｉ０  を生成する電流源のスイッチ信号となる。
また、階調データの下位３ビットＤ  ２、Ｄ１  、Ｄ０  に対して、ＦＲＣシーケンスカウンタ４２により、ＦＲＣ階調テーブル４４から１ビットのオン／オフデータＦＲＣ  （基準電流値Ｉ０  ）を決定する。ここで、ＦＲＣシーケンスカウンタ４２は、フィールド毎にカウントアップされ、８フィールド分（１フレーム分）カウントしたら０にもどるようになっている。
【００３４】
図２にＦＲＣシーケンスを示す。図中のＦＲＣ０〜ＦＲＣ７は、階調データの下位３ビットの値０〜７を意味する。ＦＲＣ区間においては、その値により、フィールド（ＦＲＣシーケンス）毎に図２に示すように、各シーケンスにおけるオン／オフを制御する。階調データの下位３ビット分（８階調）を表現するため、１フレームは８フィールドで完結する。
このようにすることで、ＦＲＣシーケンスがフィールド毎に更新され、オンとオフが平均化され、フリッカが少ないという効果がある。
【００３５】
このようにして決定されたＦＲＣ階調テーブル４４からの１ビットＦＲＣ  と、ＣＨＭの４ビットＣＨＭ３、ＣＨＭ２、ＣＨＭ１、ＣＨＭ０は、オン／オフデータとして、アノードドライバ１６に入力される。
図３に、アノードドライバ１６の概略構成を示す。
【００３６】
図３に示すように、本実施形態のアノードドライバ１６は、基準電流源４１と、各陽極（アノード０〜Ｎ）に対応する複数のドライバ、アノード０ドライバＡ０  、アノード１ドライバＡ１  、・・・、アノードＮドライバＡＮ  を含んでいる。ここでアノード０ドライバＡ０  はＦＲＣ用電流源Ｆ０  及びＣＨＭ用電流源Ｃ０  を含む。同様に、各アノードｉドライバＡｉ  （図示を省略）も、ＦＲＣ用電流源Ｆｉ  及びＣＨＭ用電流源Ｃｉ  を含む。
【００３７】
図３に示すように、５ビットのオン／オフデータＣＨＭ３、ＣＨＭ２、ＣＨＭ１、ＣＨＭ０、ＦＲＣ  は、それぞれ各アノードｉドライバＡｉ  のＣＨＭ用電流源Ｃｉ  及びＦＲＣ用電流源Ｆｉ  （ｉ＝０、・・・、Ｎ）に入力される。
ＣＨＭでは、基準電流値Ｉ０  を基にした４電流値８Ｉ０  、４Ｉ０  、２Ｉ０  、Ｉ０  の電流源により、階調データの上位４ビットの階調（１６階調）を実現するための１６種類（０〜１５Ｉ０  ）の電流値が生成され、それらは陽極（アノード）の駆動電流となる。
【００３８】
なお、図３に示すように破線Ｂで囲んだスイッチの例を図４に示す。図示例のスイッチは、フリップフロップ４６及び２つのトランジスタ４８ａ、４８ｂを用いて構成されたものであるが、これに限定されず、同一の機能を有するものであれば、どのようなスイッチを用いてもよい。
【００３９】
以下、本実施形態に係る有機ＥＬ表示装置１０の作用について説明する。
コントローラ３４は、有機ＥＬパネル１２に表示すべき表示データを選択するよう表示データＲＡＭ１８のＲＡＭデコーダ３２に指示する。
【００４０】
コントローラ３４は、表示すべき行の表示データを読み出し、階調セレクタ２８で、７ビットの階調データに変換し、この７ビットで表される１２８階調の中から指定される６４階調の階調データの上位４ビットをＣＨＭに、また下位３ビットをＦＲＣに設定する。ＣＨＭでは、階調データの上位４ビット分の１６階調を実現するための１６種類の電流値を生成し、ＦＲＣでは、階調データの下位３ビットをＦＲＣシーケンスカウンタ４２によってＦＲＣ階調テーブル４４から１ビットのオン／オフデータを決定する。そして、このＦＲＣ階調テーブル４４からの１ビットと、階調データの上位４ビットがオン／オフデータとして該当する陽極ドライバ（アノードドライバ）１６にラッチされる。
【００４１】
コントローラ３４は、表示すべき行の全ての陽極ドライバ１６にオン／オフデータがラッチされた時点で、その表示すべき行に対応する陰極ドライバ１４をアクティブにする。これにより、有機ＥＬパネル１２が駆動される。
【００４２】
一定時間後に、表示中の行電極（陰極ドライバ）をインアクティブにして、次に表示すべき行について、同様に繰り返す。
【００４３】
このように、本実施形態においては、ＣｐＦ（ＣＨＭ  ｐｌｕｓ  ＦＲＣ）階調制御を行うようにしたため、動作周波数が抑えられ、ＰＷＭ、ＦＲＣ階調方式に比べ、低消費電力化が可能である。
例えば、ＰＷＭ階調方式により最小階調を表示する場合、シーケンスのオン時間が最小（１単位時間）、つまり継続時間の短い高周波の最小駆動パルスが生じてしまい、結果的に高周波動作となり、消費電力が増大してしまう。
【００４４】
これをもう少し詳しく説明するため、具体的に、例えば動画を表示する場合を考察する。動画表示は、完全動画レートでは、３０フレーム以上／秒が必要とされるが、普通、ごく一般的に使われるのは、１０〜２０フレーム／秒程度である。ここでは、２０フレーム／秒で６４階調を表現する場合を例にとる。例えば携帯電話等で用いるような１フレーム１６８行の有機ＥＬパネルを駆動するために必要となる最小駆動パルスの周波数を試算すると、ＰＷＭ階調方式の場合は、６３（シーケンス）×１６８（行）×２０（フレーム／秒）であり、約２００［ＫＨｚ］になる。
同様に、ＦＲＣ階調方式では、６４（フィールド）×１６８（行）×２０（フレーム／秒）であり、約２１５［ＫＨｚ］になる。
【００４５】
しかし、本実施形態の方式では、８（フィールド）×１６８（行）×２０（フレーム／秒）となり、約２７［ＫＨｚ］である。その結果、動作周波数はＰＷＭやＦＲＣのような従来方式の約１／８でよいことになり、消費電力も１／８に低減でき、低消費電力化が可能となる。
【００４６】
また、本実施形態では、ＣｐＦ階調方式の電流値による瞬時輝度制御を行うことにより、従来のＰＷＭ方式による高周波動作から逃れることが可能となる。
一方で、ＣｐＦ階調方式とすることにより、フレーム時間が従来のＦＲＣ階調方式よりも短くなることにより、常に最適な階調制御が可能となり、フリッカやスプライシング等の画質劣化の少ない高画質の画像表示を実現することができる。
【００４７】
さらに、本実施形態では、ＣｐＦ階調方式とすることにより、従来のＰＨＭ階調方式よりも、有機ＥＬ素子に対して、定電流源の個数を削減でき、低コストで多階調表現が可能となる。
【００４８】
以上、本発明のパッシブマトリクス型有機ＥＬ表示装置及びその駆動方法について、詳細に説明したが、本発明は、以上の実施形態に限定されるものではなく、本発明の要旨を逸脱しない範囲において、各種の改良や変更を行ってもよいのはもちろんである。
【００４９】
【発明の効果】
以上、説明した通り、本発明によれば、パッシブマトリクス型有機ＥＬ表示装置において、ＣＨＭ階調方式にＦＲＣ階調方式を付け加えたＣｐＦ階調方式で制御することにより、動作周波数を抑え、低消費電力化、及び低コスト化を達成することができるとともに、最適な階調制御が可能であり、低コストで多階調表現が可能となる。
【図面の簡単な説明】
【図１】本発明に係るパッシブマトリクス型有機ＥＬ表示装置の一実施形態の概略構成を示すブロック図である。
【図２】本実施形態におけるＦＲＣ区間の駆動方法の例を示す説明図である。
【図３】本実施形態におけるアノードドライバを示す概略構成図である。
【図４】図３のアノードドライバのスイッチの他の例を示す回路図である。
【符号の説明】
１０  有機ＥＬ表示装置
１２  有機ＥＬパネル
１４  陰極ドライバ（カソードドライバ）
１６  陽極ドライバ（アノードドライバ）
１８  表示データＲＡＭ
２８  階調セレクタ
３２  ＲＡＭデコーダ
３４  コントローラ
４１  基準電流源
４２  ＦＲＣシーケンスカウンタ
４４  ＦＲＣ階調テーブル
４６  フリップフロップ
４８ａ、４８ｂ  トランジスタ
【図１】
2004184900.tif 000003
【図２】
2004184900.tif 000004
【図３】
2004184900.tif 000005
【図４】
2004184900.tif 000006